【事件の表示】
　特許第２６７６１４０号「乗用型不耕起移植機」の特許に対する特許異議の申立てについて、次のとおり決定する。
【結論】
　訂正を認める。
　特許第２６７６１４０号の特許を維持する。
【理由】
Ｉ．手続の経緯
　本件特許第２６７６１４０号の請求項１に係る発明は、平成１年４月１２日付けで出願された実用新案登録出願（実願平１−４２８７７号）を原出願として特許法第４４条第１項の規定により平成８年３月２２日に出願（分割出願）されたものであって、平成９年７月２５日にその特許の設定登録がなされ、その後、井関農機株式会社より特許異議の申立てがなされ、取消理由通知がなされ、その指定期間内である平成１１年３月２４日に訂正請求がなされたものである。
ＩＩ．訂正の適否についての判断
　ア．訂正の内容
　特許権者が求めている訂正請求書における訂正の内容は、本件特許明細書を以下のとおりに訂正しようとするものである。
訂正事項ａ
　特許請求の範囲の請求項１中「溝切体を夫々設ける」を、「溝切体を夫々設け、該溝切体の前部を後輪の外周後縁下部に入り込ませる］と訂正する。
訂正事項ｂ
　平成８年４月２２日付手続補正書第２頁第２５行（特許公報第３欄第２５行〜同欄第２６行）の「溝切体を夫々設ける」を「溝切体を夫々設け、該溝切体の前部を後輪の外周後縁下部に形成される空間部に入り込ませる」と訂正する。
訂正事項ｃ
　同書第３頁第２７行（同公報第６欄第２５〜第２６行）の「配設されていて、各植付杆」の「て、」と「各」の間に「該溝切体の前部を後輪の外周後縁下部に入り込ませると共に、」を挿入する。
訂正事項ｄ
　明細書第３頁第２４行（同公報第４欄第１９行）の「配設されている。」を「配設されているが、その前部は後輪の外周後縁下部に入り込ませ、植付部Ａを可及的に走行機体１に近づけてある。」と訂正する。
　イ．訂正の目的の適否、新規事項の有無及び拡張・変更の存否
訂正事項ａについて
　第１，２図の記載からみて後輪の外周後縁下部に溝切体の前部が入り込んでいないとはいえず、この訂正は、その記載内容から判断して特許請求の範囲の減縮に該当し、願書に最初に添付した明細書の又は図面に記載した事項の範囲内の訂正であり、また、実質上特許請求の範囲を拡張又は変更するものではない。
訂正事項ｂ〜ｄについて
　これらの訂正は、上記訂正事項ａによる特許請求の範囲の記載の訂正に基づいて整合性を図るための訂正であり、明瞭でない記載の釈明に相当し実質的に特許請求の範囲を拡張又は変更するものではない。
　ウ．独立特許要件の判断
　上記訂正明細書の特許請求の範囲の請求項１に記載された発明（以下、「本件訂正明細書の発明」という。）は次のとおりのものである。
「【請求項１】前輪と後輪を有する走行機体の後方に昇降リンクを介して横方向に多数の植付杆を設けた多数条用の植付部を昇降自在に装着した乗用型不耕起移植機において、前記植付部には、走行機体の後輪の後部で昇降リンクの下方に位置し、且つ植付杆の前方で各杆に対応した植付条の仮想延長線上に位置して、苗植付用の溝を形成する溝切体を夫々設け、該溝切体の前部を後輪の外周後縁下部に入り込ませると共に、該溝切体の各々を横方向に複数個一連に連結し、植付部に対して複数個の溝切体を同時に上下位置変更可能に装着したことを特徴とする乗用型不耕起移植機。」
（引用刊行物）
　当審において通知した取消理由通知書の取消理由で引用した刊行物１（特開昭６２−３７０４号公報）には、その記載内容からみて、上記本件訂正明細書の発明に照らして表現すると、おおよそ、「前輪と後輪を有する乗用型のトラクタ１（本件訂正明細書の発明の「走行機体」に対応するものである。以下かっこ内は同じ。）の後方に三点リンクヒツチ機構４（昇降リンク）を介して横方向に多数の植込体２２（植付杆）を設けた多数条用の移植機構１２（植付部）を昇降自在に装着した乗用型移植機において、前記移植機構１２（値付部）には、乗用型のトラクタ１（走行機体）の後輪の後方で三点リンクヒツチ機構４（昇降リンク）の下方に位置し、且つ植込体２２（植付杆）の前方で各植込体２２（植付杆）に対応した植付条の仮想延長線上に位置して、未耕地に苗植付用の溝を形成する部分耕耘装置（１１，３０）を夫々設けると共に、該部分耕耘装置（１１，３０）の夫々を横方向に複数個一連に連結した乗用型移植機。」について記載されている。
　また、刊行物２（特開昭６１−２３１９０９号公報）には、その記載内容からみて乗用型と認められる移植機について、「第１図において、１はトラクタの車輪であり、この後方に移植機２が三点リンク機構３を介して昇降自在に連結されている。
　移植機２は機枠４と、この機枠４の左右両側にステー５を介して備えられた一対の接地軸６と、接地軸６間に横方向に並設される苗タンク７と、苗タンク７の下方に対応して設けられる植付け機構８と、各植付け機構８の前方に対応して設けられる作溝器９と、各植付け機構８と対応して後側に設けられる覆土機構１０と、・・・中略・・・とで主構成されている。」（その公報第２頁右上欄第１８行から同左下欄第１０行に記載）、
　「作溝器９は植付け機構８より先行して設けられ、本例ではシュ形が示されているがこれはディスク形であってもよく、・・・中略・・・従って、本例では作溝器９はその溝深さが大小にできるとともに、植付け機構８に対して遠近自在とされている。」（同第３頁左下欄第３行から第１９行に記載）と記載されている。
【対比・判断】
　本件訂正明細書の発明と刊行物１及び刊行物２に記載のものとを検討すると、
　刊行物１及び刊行物２に記載のものは、本件訂正明細書の発明の構成要件の一部を有しているけれども、溝切体について、本件訂正明細書の発明の構成の一部である「溝切体の前部を後輪の外周後縁下部に入り込ませる」構成は、両刊行物１，２のいずれにも記載されていないものであり、上記構成はそれらの刊行物の記載内容からみて自明なものとも認められないものである。
　とすると、本件訂正明細書の発明は、上記構成を有していない刊行物１及び刊行物２に記載されたものに基づいて当業者が容易に発明をすることができたものとは一概にこれを認めることはできない。
　そして、本件訂正明細書の発明は、上記点を備えることによって、上記訂正明細書に記載のような作用効果を奏するものである。
エ．むすび
　以上のとおりであるから、上記訂正請求は、特許法第１２０条の４第２項及び同条第３項で準用する第１２６条第２−４項の規定に適合するので、当該訂正を認める。
ＩＩＩ．特許異議申立てについての判断
（１）　申立ての理由の概要
　異議申立人井関農機株式会社は、証拠方法として甲第１号証（特開昭６３−３７０４号公報）、甲第２号証（特公昭５０−２１９２８号公報）、参考資料１（特開昭６１−２３１９０９号公報）及び参考資料２（特公昭４５−３７４４６号公報）を提示し、本件請求項１に係る特許発明は、甲第１号証及び甲第２号証に記載された各発明に基づいて当業者が容易に発明をすることができたものであるから、特許法第２９条第２項の規定に違反してなされたものであるから、同法第１１３条第１項第２項により取り消すべきものである旨主張している。
（２）当審における判断
　１．本件発明
本件特許第２６７６１４０号の請求項１に係る発明（以下「本件発明」という。）は、上記訂正明細書及び図面の記載からみて、上記ＩＩ．ウで認定したように、その訂正明細書の特許請求の範囲の請求項１に記載された事項により特定されるとおりのものである。
　２．引用例
甲第１号証（特開昭６２−３７０４号公報）
　証拠方法として甲第１号証は特開昭６３−３７０４号公報を提出しているけれども、本件発明の要旨についての記載は認められない対地作業車の制御方法に関するものである。しかしながらその該当の添付資料をみると特開昭６２−３７０４号公報となっており、添付資料のものが妥当であると認められ留〜、誤記としてこれを甲第１号証とする。
　甲第１号証は上記刊行物１に相当し、甲第１号証には上記ＩＩ．ウにおいて認定したような技術事項が記載されている。
甲第２号証（特公昭５０−２１９２８号公報）
　甲第２号証には、その明細書の記載及び図面の記載からみて、おおよそ、植付部に対して複数個の代掻き爪車２ｂを有する代掻き装置２を上下位置変更可能に装着する田植機とする技術事項が記載されている。
参考資料１（特開昭６１−２３１９０９号公報）
　参考資料１は上記刊行物２に相当し、参考資料１には上記ＩＩ．ウにおいて認定したような技術事項が記載されている。
参考資料２（特公昭４５−３７４４６号公報）
　参考資料２には田植機において、おおよそ、「移植機において、苗植付用の溝を形成する複数の転輪４（本件発明の溝切体に対応している。）を、値付部に対して複数の転輪４を同時に上下位置変更可能に装着する」技術が示されている。
参考資料３（実公昭５１−１３３８２号公報）
　参考資料３には、おおよそ、不耕起圃場において作溝爪により苗植付用の細砕した土粒の充満した細巾の植溝を形成して、その溝に苗を植付けることが記載されている。
参考資料４（実願昭５９−１０８７０２号（実開昭６１−２２４１８号）のマイクロフィルム）
　参考資料４には、田植機において、おおよそ、一条の苗の植付けに必要な最小限の範囲を耕耘するロータ装置Ｃを配置するようなことが記載されている。
参考資料５（実開昭６２−１６９９１８号公報）には、
　参考資料５には、本件発明に照らして表現すると、おおよそ、「前輪（６）と後輪（８）を有する走行機体（１）の後方に昇降リンク（２７）を介して横方向に多数の植付杆（１７）を設けた多数条用の植付部（１５）を昇降自在に装着した乗用型田植機において、前記植付部（１５）には、走行機体（１）の後輪（８）の後方で昇降リンク（２７）の下方に位置し、且つ植付杆（１７）の前方で各植付杆（１７）に対応した植付条の仮想延長線上に位置して、苗植付用の土壌面を形成するディスク状の形状を含む田面整地体（６０，６０ａ，６０ｂ）を設けると共に、該田面整地体（６０，６０ａ，６０ｂ）を横方向に複数個一連に連結し、植付部（１５）に対して複数個の田面整地体（６０，６０ａ，６０ｂ）を同時に上下位置変更可能に装着した乗用型田植機。」が記載されている。
参考資料６（実開昭６３−１４０８１７号）
　参考資料６には、田植機等において、本件発明の溝切体に対応する回転円盤等２を設けるようなことが記載されている。
　３．対比・判断
　本件発明と甲第１号証、甲第２号証及び参考資料１〜２に記載のものとを対比判断すると、
　本件発明と甲第１号証及び参考資料１に記載されたものとの比較検討は上記ＩＩ．ウにおいて判断したとおり、甲第１号証（刊行物１）及び参考資料１（刊行物２）に記載のものは、本件訂正明細書の発明即ち本件発明の構成の一部を有しているけれども、溝切体について、本件発明の構成の一部である「溝切体の前部を後輪の外周後縁下部に入り込ませる」構成は、甲第１号証及び参考資料１のいずれにも記載されていないものであり、上記構成はそれらの刊行物の記載内容からみて自明なものとも認められないものである。
　また、上記証拠方法以外に提出された甲第２号証には、本件発明の溝切体についての構成はまったく記載されておらず、参考資料２にはすでに判断された参考資料１に記載された技術事項と変わるところはないものであり、結局、甲第１号証、甲第２号証及び参考資料１〜２に記載のもののいずれにも、本件発明の構成の一部である「溝切体の前部を後輪の外周後縁下部に入り込ませる」構成は有していないものである。
　なお、異議申立人は参考資料３乃至６を提出してその他の理由として主張しているようであるけれども、参考資料３乃至６についても前記同様に少なくとも上記構成については示されていないものである。
　とすると、本件発明は、上記構成を有していない刊行物１、刊行物２及び参考資料１乃至６に記載されたものに基づいて当業者が容易に発明をすることができたものとは認めることはできない。
　そして、本件発明は、上記点の構成を備えることによって、訂正明細書に記載のような作用効果を奏するものである。
　４．むすび
　以上のとおり、特許異議申立ての理由及び証拠方法によっては、本件発明即ち本件請求項１に係る発明の特許を取り消すことはできない。
　また、他に本件請求項１に係る発明の特許を取り消すべき理由を発見しない。
　よって、結論のとおり決定する。
【異議決定日】
平成１１年６月２８日（１９９９．６．２８）
【訂正の要旨】
（３）訂正事項
　ａ．特許請求の範囲の請求項１中
　　　「溝切体を夫々設ける」を、「溝切体を夫々設け、該溝切体の前部を後輪の外周後縁下部に入り込ませる」と訂正する。
　ｂ．平成８年４月２２日付手続補正書第２頁第２５行（公報第３欄第２５行〜同欄第２６行）の「溝切体を夫々設ける」を「溝切体を夫々設け、該溝切体の前部を後輪の外周後縁下部に形成される空間部に入り込ませる」と訂正する。
　ｃ．同書第３頁第２７行（公報第６欄第２５〜第２６行）「配設されていて、各植付杆」の「て、」と「各」の間に「該溝切体の前部を後輪の外周後縁下部に入り込ませると共に、」を挿入する。
　ｄ．明細書第３頁第２４行（公報第４欄第１９行）の「配設されている。」を「配設されているが、その前部は後輪の外周後縁下部に入り込ませ、植付部Ａを可及的に走行機体１に近づけてある。」と訂正する。
（５４）【発明の名称】
乗用型不耕起移植機
（５７）【特許請求の範囲】
　　【請求項１】　前輪と後輪を有する走行機体の後方に昇降リンクを介して横方向に多数の植付杆を設けた多数条用の植付部を昇降自在に装着した乗用型不耕起移植機において、前記植付部には、走行機体の後輪の後部で昇降リンクの下方に位置し、且つ植付杆の前方で各植付杆に対応した植付条の仮想延長線上に位置して、苗植付用の溝を形成する
溝切体を夫々設け、該溝切体の前部を後輪の外周後縁下部に入り込ませる
【発明の詳細な説明】
　　　【０００１】
　　【産業上の利用分野】
　本発明は乗用型の水田用移植機（田植機）又は畑用移植機に関するもので、詳しくは一台の機械で植付条対応部分を作溝し、その溝内に苗を植付るようにした乗用型不耕起移植機に関するものである。
　　　【０００２】
　　【従来の技術】
　従来慣行の稲作作業体系（耕耘〜代掻〜植付）は、すべて圃場全面を耕耘・代掻する圃場全面作業であり、しかも、耕耘機、トラクタ等を使用して耕耘と代掻を行い、その後田植機で植付を行っており、少なくとも、耕耘・代掻用の機械と植付用の機械を必要とし、しかも、耕耘作業後代掻きをし、その後数日放置し軟弱となっている代掻泥土がある程度硬化するのを待って苗の植付を行っているため作業圃場の整備作業に要する時間と手間が多くかかり、どうしてもコスト高となるのを免れ得ないものである。
　そのため、実公昭５１−１３３８２号公報に示されるように、走行機体に回転作溝爪と植付部とを設けて不耕起田に田植する技術が提供されている。
　　　【０００３】
　　【発明が解決しようとする課題】
　ところが、上記従来公知のものは、歩行型の不耕起田植機であり、車輪を有する走行機体に溝切り用の回転作溝爪と植付部とを共に固定的に装着したものであり、走行機体が車輪を中心に前後傾動すると、走行機体に設けた回転作溝爪は同時に前後傾動してしまい、回転作溝爪で形成される作溝深さが深浅に変化することになり、所定深さの連続した溝の形成が困難で良好な植付ができないという欠点があり、特に多数条を同時に植付する乗用型の不耕起移植機にこの技術を使用することができなく、実用化されるまでには至らなかった。
　この発明は、上記の問題点を解決し従来行っていた耕耘・代掻の圃場作り作業を不要とし、しかも、苗の植付を圃場に形成した溝内に良好に行うことができる乗用型不耕起移植機を提供するものである。
　　　【０００４】
　　【課題を解決するための手段】
　本発明は、前輪と後輪を有する走行機体の後方に昇降リンクを介して横方向に多数の植付杆を設けた多数条用の植付部を昇降自在に装着した乗用型不耕起移植機において、前記植付部には、走行機体の後輪の後部で昇降リンクの下方に位置し、且つ植付杆の前方で各植付杆に対応した植付条の仮想延長線上に位置して、苗植付用の溝を形成する
溝切体を夫々設け、該溝切体の前部を後輪の外周後縁下部に入り込ませる
　　　【０００５】
　　【作用】
　本発明によれば、不耕起の圃場で機体を走行させて苗の植付を行う。植付クラッチレバーが入ると、走行機体に昇降自在に装着した植付部に設けた溝切体は、後輪の後方で昇降リンクの下方に位置し、且つ植付杆の前方の空間内に位置して、植付部の上下動に追従して植付部と一体昇降して、植付部の植付杆による苗の植付深さに対して所定の溝深さで、且つ植付部の各植付杆に対応した植付条の仮想延長線上に苗植付用の溝を連続して形成する。この溝内に、後続の植付杆で順次苗が植付られる。
　また、溝切体は多数条の植付杆に応じて多数設けられているが、植付部に対して複数個の溝切体を同時に上下位置変更可能に装着されているので、圃場条件によって溝の深さは任意にしかも容易に上下位置を変更できる。
　更に、これらの溝切休は一体昇降する植付部に対して上下位置を変更するものであるから、植付部が圃場の高さ変化に追従して上下しても、植付杆に対して上下位置を変更した所定の溝深さを形成できる。
　　　【０００６】
　　【実施例】
　次に、本発明の一実施例を図面に基づいて説明する。１は後部に昇降リンクＬを介して苗載台２、ドライブケース３、プランタケース３ａ、植付杆４，４・・及びフロートＦ等からなる６条植えの植付部Ａを着脱自在に装着した乗用田植機の走行機体で、前輪５、後輪６を有し、また、肥料タンク７、施肥ポンプ８、吸引ホース９、吐出ホース１０等からなる流動状肥料の施肥装置Ｂが装備され、吐出ホース１０の先端に連結した施肥ノズル１１の吐出口はフロート側方の泥中に臨ませ、植付と同時に側条施肥するようになっている。
　　　【０００７】
　１２，１２・・は機体横方向に配設したシャフト１３に一連に固着連結されたディスク型の溝切体である。該溝切体１２は圃場面に植付杆４の植付爪４ａの横巾よりも若干広巾Ｗの溝Ｖを形成するもので、植付杆４の前方で各植付杆４に対応させた植付条の仮想延長線Ｋ上に位置して６個設けられ、基端側を植付部Ａのシャフトケース１４に連結した増速用ギヤケース１５ａと一体の伝動ケース１５及びステー１６を介して横方向に一連に支持されている。
　そして、これらの溝切体１２は、図示のように後輪６の後方で昇降リンクＬの下方に位置し、且つ植付杆４の前方の空間内に
配設されているが、その前部は後輪の外周後縁下部に入り込ませ、植付部Ａを可及的に走行機体１に近づけてある。
　　　【０００８】
　ところで、上記伝動ケース１５及びステー１６の傾斜角度（植付部Ａに対する取付角度）は変更可能となっていて、これにより複数個の溝切体１２，１２・・の作溝深さを同時に調整して設定し得るように構成されている。即ち、伝動ケース１５と一体のギヤケースｌ５ａはシャフトケース１４に対して図５に示すように板バネ１７によりギヤケース１５ａを貫通してシャフト１８を内装するシャフトケース１４側に弾発付勢されたピン１９及びシャフトケース１４の周方向に複数個設けた係合穴２０を介し取付角度調整自在に装着され、これに対応して上記ステー１６の取付角度も押ボルト１６ａにより調整自在となっていて、溝切体１２はドライブケース３から各プランタケース３ａに伝動する間で駆動を得るように構成されている。２１はロータリカバーである。
　　　【０００９】
　２２，２２ａは苗植付位置の左右両側に配設された強制土寄板で、この強制土寄板２２，２２ａはワイヤ２３を介し植付杆４のリンク４ｂに連動連結されており、苗植付に連動して広狭拡縮作動するように構成されている。即ち、プランタケース３ａの下方に位置して植付部Ａには夫々強制土寄板２２，２２ａの一端側を固着した前後一対のロッド２４，２４ａが機巾方向摺動自在に支持されており、強制土寄板２３，２３ａの遊端側は夫々他方のロッド２４ａ，２４に摺動自在に遊嵌させてある。そして、ロッド２４，２４ａは枢支ピン２５ａを中心に植付部Ａに揺動自在に支持されたＴ字状作動金具２５にピン２６及び長孔２７を介して連繋されており、植付杆４のリンク４ｂとＴ字状作動金具２５は復帰用スプリングＱを有するワイヤ２３で連結してあり、リンク４ｂの作動に連動して作動金具２５が揺動するための前後のロッド２４，２４ａが左右反対方向に往復動し、これにより左右一対の強制土寄板２３，２３ａの間隔が拡縮して植付苗側に強制的に土寄作用を行うものである。２８，２８ａはアウタ止めである。
　図中、Ｒは油圧連動の植付クラッチレバー、Ｓは条止めクラッチである。
　　　　【００１０】
　図６及び図７に示すものは、ディスク型回転溝切体１２の代りに植付部Ａにステー２９を介し平面視で略Ｖ字形状の溝切体１２′を固定したものである。
　このものはステー２９を伸縮式等に構成することにより作溝深さを上下位置変更調整し得る。
　　　【００１１】
　図８及び図９に示すものは、条合せの場合の植付停止条に対応させてその部分の作溝を停止させるようにしたものである。即ち、圃場での苗植付にあっては圃場面積に合せて植付る必要があり、そのため、畦際最終植付で全条植付られるようその直前の植付行程で、重複する条部分の植付杆を停止（条止め）させることが一般に行われており、これに対処すべく溝切体１２を図示のように一対ずつ分離すると共に、各一対の溝切体１２，１２を横方向に一連に連結して夫々別々の伝動ケース１５´を介しシャフトケースに上下動可能に支持させたもので、シャフトケースに対する各伝動ケース１５´の取付構造は前記図１乃至図５に示すギヤケースの取付構造と同様である。これによりピンを操作して条止め部分の溝切体１２のみを圃場面から離反した上方位置に簡単に退避させることができ、無駄な溝形成をなくして次行程で作溝される溝との重複により溝巾が広くなり過ぎることがなく、植付苗の倒れや植付姿勢の乱れ等が防止される。
　　　【００１２】
　上記の構成において、苗植付作業は、不耕起の圃場に水を入れ土壌に水が浸透した状態で機体を走行させて行うものであるが、植付方法は乗用田植機による慣行の植付と同様であり、植付クラッチレバーＲを操作して植付部Ａを下降接地させる。そして、植付クラッチレバーＲが入ると機体の走行と同時に植付杆４の前方に装着した溝切体１２により植付爪４ａの横巾よりも若干広巾ｗの泥土部分が作溝され、後続のフロートＦにより均平化された後、植付杆４によりこの溝Ｖ内に順次苗が植付られる。この際、溝切体１２で作溝される溝巾が広過ぎると一旦溝内に植付られた苗が横向きに倒れたり或は植付杆４の上昇時植付爪４ａ（特にビーク部分）で持回ったりする不都合があるが、溝巾は植付爪４ａの横巾より若干広巾即ち植付苗が溝左右の泥土に付く程度の巾にすぎないのでかかる不都合はない。しかも、植付苗に対し植付杆４に連動して拡縮作動する後続の強制土寄板２３．２３ａにより左右両側から泥土が掻寄せられるため、浮苗や倒伏苗となることもない。
　また、溝切体１２で作溝された溝Ｖ内に苗を植付けるので植付時、苗の根元部が泥土から受ける衝撃が少なく、従って苗根元部を損傷することがなく、活着の良い植付が行われる。尚、始めの数株の植付は作溝されない部分となるが、これは無駄植えとして処理すれば問題はない。
　　　【００１３】
　ところで、各溝切休１２，１２・・は、後輪６の後方で昇降リンクＬの下方に位置して、夫々植付杆４，４・・の前方の空間内を利用して配設されていて、各々の植付杆４に対応した植付条の仮想延長線Ｋ上に位置させて設けてあるので、溝切体１２が植付杆４の前方近傍に配置されていることと相俟って作溝位置と植付位置のずれは殆どない。
　　　【００１４】
　そして、各溝切体１２，１２・・は植付部Ａに複数個同時に上下位置変更自在に装着されていて、その溝の深さが任意にしかも容易に上下位置変更できるので、植付部Ａの上下動に追従して自動的に各溝切体１２，１２・・が植付部Ａと一体昇降して、圃場条件に合わせて夫々植付杆４，４・・に対して上下位置を変更した各溝切体１２，１２・・が所定深さの溝Ｖを連続して形成するので、植付部Ａが圃場の高さ変化に追従して上下しても、植付杆４，４・・により最適の状態で安定した植付ができる。
　尚、本発明は水田での植付のみならず畑での畑作物の植付にも利用できる。
　　　【００１５】
　　【発明の効果】
　上記したように本発明の乗用型不耕起移植機によれば、１台の機械を使用して植付条部分を作溝すると同時に苗を植付けることができ、植付前に行う慣行の耕起や代掻等の圃場整備作業を省略でき大巾な省力化が達成できる。
　　　【００１６】
　殊に、溝切体は植付部に装着され、しかもこの溝切体は、走行機体側に設けられた後輪の後方と、走行機体に対して上下動する昇降リンクの下方で且つ植付杆の前方の空間内を利用して配設されていて、
該溝切体の前部を後輪の外周後縁下部に入り込ませると共
　　　【００１７】
　また、溝切体は、植付部の上下動に自動的に追従して植付部と一体昇降して、植付部の植付杆による苗の植付深さに対して所定の溝深さで、且つ植付部の各植付杆の前方に苗植付用の溝を連続して形成でき、後続の植付杆で溝内に良好に植付することができる。
　　　【００１８】
　また、各溝切体は、植付部に対して複数個同時に上下位置が変更できるので、各溝切体で形成される溝の深さが任意に上下位置変更できる。
　更に、各溝切体は一体昇降する植付部に対して上下位置を変更するものであるから、植付部が圃場の高さ変化に追従して上下しても、植付杆に対して上下位置を変更した所定の深さの溝を連続して成形でき、植付杆による苗の植付を圃場条件に合わせて最適の状態で行うことができる。
【図面の簡単な説明】
　　【図１】
　本発明を装備した移植機の側面図。
　　【図２】
　同上平面図。
　　【図３】
　植付杆の拡大平面図。
　　【図４】
　強制土寄板の拡大平面図。
　　【図５】
　シャフトケースに対するギヤケースの取付構造を示す断面図。
　　【図６】
　他の実施例を示す移植機の側面図。
　　【図７】
　同上溝切体の平面図。
　　【図８】
　更に他の実施例を示す移植機の平面図。
　　【図９】
　同上同上側面図。
　【符号の説明】
４　　　　植付杆
４ａ　　　植付爪
１２，１２´　溝切体
Ａ　　　　植付部
Ｋ　　　　植付条の仮想延長線
Ｖ　　　　溝作溝部材（作溝器）